【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
装置であって、
当該装置は、管腔内データ取得器具と共に使用するためのものであり、該管腔内データ取得器具は、管腔内データ取得器具が管腔を通って動かされている間に、管腔内の各々の位置において対象の身体の管腔の複数の管腔内データ点を取得するように構成されており、管腔内データ取得器具には放射線不透過性マーカーが連結されており、
当該装置は、造影剤と共に使用するためのものであり、
当該装置は、管腔内データ取得器具の移動の間に管腔内に前記造影剤を継続的に注入する手段と共に使用するためのものであり、
当該装置は、血管造影画像化器具と共に使用するためのものであり、該血管造影画像化器具は、管腔内データ取得器具の移動の間に管腔内の管腔内データ取得器具の複数の血管造影画像を取得するように構成されており、かつ
当該装置は、ディスプレイと共に使用するためのものであり、該ディスプレイは、管腔の画像を表示するように構成されており、
当該装置は、
少なくとも１つのプロセッサを有し、
該プロセッサは、位置関連付け機能を有し、該位置関連付け機能は、管腔内データ点が管腔内の各々の位置に対応することを決定するように構成されており、該決定することは、血管造影画像に対して画像処理を行うことにより、管腔の血管造影画像内の放射線不透過性マーカーの位置を決定することにより為され、管腔の血管造影画像内の放射線不透過性マーカーの位置は各々の管腔内データ点に対応しており、
該プロセッサは、ディスプレイ駆動機能を有し、該ディスプレイ駆動機能は、管腔内データ点が管腔内の各々の位置に対応するという決定に反応して、ディスプレイを、出力を表示するように駆動するように構成されている、
前記装置。
【請求項２】
管腔内データ取得器具が、管腔内画像化プローブを有し、該管腔内画像化プローブは、第１のフレームレートにて複数の管腔内画像を取得するように構成されており、血管造影画像化器具が、第１のフレームレートとは異なる第２のフレームレートにて複数の血管造影画像を取得するように構成された血管造影画像化器具を有し、かつ、位置関連付け機能は、血管造影画像に関して管腔内画像をインデックス付けすることにより、管腔内データ点が管腔内の各々の位置に対応することを決定するように構成されている、請求項１に記載の装置。
【請求項３】
当該装置が、少なくとも２秒間、管腔内に造影剤を継続的に注入する手段と共に使用するためのものである、請求項１に記載の装置。
【請求項４】
当該装置が、管腔内データ取得器具と共に使用するためのものであり、
該管腔内データ取得器具は、該管腔内データ取得器具が管腔を通って引き戻されている間に、管腔の複数の管腔内データ点を取得するように構成されたものである、請求項１に記載の装置。
【請求項５】
当該装置が、管腔内に造影剤を継続的に注入する手段と共に使用するためのものであり、該手段は、管腔内データ取得器具が管腔内データ点を取得する期間の少なくとも５０％の期間にわたって造影剤を継続的に注入するものである、請求項１〜４のいずれか１項に記載の装置。
【請求項６】
当該装置が、管腔内に造影剤を継続的に注入する手段と共に使用するためのものであり、該手段は、管腔内データ取得器具が管腔内データ点を取得する前記期間の少なくとも８０％の期間にわたって造影剤を継続的に注入することを有する、請求項５に記載の装置。
【請求項７】
管腔内データ取得器具の作動方法であって、該管腔内データ取得器具は、対象の身体の管腔を通って動かされるように構成されており、管腔内データ取得器具には放射線不透過性マーカーが連結されており、
当該作動方法は、
管腔内データ取得器具が管腔を通って動かされている間に、管腔内データ取得器具を使用して管腔の複数の管腔内データ点を取得することを有し、
第１の管腔内データ点が管腔内の第１の位置に対応することを決定することを有し、該決定することは、
管腔内データ取得器具による第１の管腔内データ点の取得と関連付けられる時点において、管腔の第１の血管造影画像を取得することにより為され、かつ、
第１の血管造影画像に対して画像処理を行うことにより管腔の第１の血管造影画像内の放射線不透過性マーカーの位置を決定することにより為され、管腔の第１の血管造影画像内の放射線不透過性マーカーの位置は第１の管腔内データ点に対応しており、
当該作動方法は、
第２の管腔内データ点が管腔内の第２の所与の位置に対応することを決定することを有し、該決定することは、
管腔内データ取得器具による第２の管腔内データ点の取得と関連付けられる時点において、管腔の第２の血管造影画像を取得することにより為され、かつ、
第２の血管造影画像に対して画像処理を行うことにより管腔の第２の血管造影画像内の放射線不透過性マーカーの位置を決定することにより為され、管腔の第２の血管造影画像内の放射線不透過性マーカーの位置は第２の管腔内データ点に対応しており、
当該作動方法は、
第１および第２の血管造影画像を共に登録することにより、第１および第２のマーカーの位置の表示を有する管腔の複合の血管造影画像を生成することを有し、かつ、
放射線不透過性マーカーの第１の位置と第２の位置との間にある複合の血管造影画像上の少なくとも１つの位置が、第１のデータ点の取得と第２のデータ点の取得との間に取得された管腔内データ点に対応することを決定することを有し、該決定することは、複合の血管造影画像上の放射線不透過性マーカーの第１の位置と第２の位置との間でインターポレートすることにより為され、かつ、
それに反応して出力を生成することを有する、
前記管腔内データ取得器具の作動方法。
【請求項８】
管腔内データ取得器具が管腔を通って動かされている間に管腔内データ取得器具を使用して管腔の複数の管腔内データ点を取得することが、管腔内データ取得器具が管腔を通って引き戻されている間に管腔内データ取得器具を使用して管腔の複数の管腔内データ点を取得することを有する、請求項７に記載の作動方法。
【請求項９】
第１の管腔内データ点が管腔内の第１の位置に対応することを決定することが、第１の管腔内データ点が、関心のある管腔区画の第１の端部の近くの位置に対応することを決定することを有し、かつ、第２の管腔内データ点が管腔内の第２の位置に対応することを決定することが、第２の管腔内データ点が、該関心のある管腔区画の第２の端部の近くの位置に対応することを決定することを有する、請求項７に記載の作動方法。
【請求項１０】
第１の管腔内データ点が管腔内の第１の位置に対応することを決定することが、第１の管腔内データ点が、関心のある管腔区画の第１の端部の近くの位置に対応することを決定することを有し、かつ、
第２の管腔内データ点が管腔内の第２の位置に対応することを決定することが、第２の管腔内データ点が、該関心のある管腔区画の第１の端部と第２の端部との間の位置に対応することを決定することを有し、
該方法が更に、
第３の管腔内データ点が、該関心のある管腔区画の第２の端部の近くの位置に対応することを決定することを有し、
管腔内データ取得器具による第３の管腔内データ点の取得と関連付けられる時点において、管腔の第３の血管造影画像を取得することを有し、
第３の血管造影画像に対して画像処理を行うことにより管腔の第３の血管造影画像内の放射線不透過性マーカーの位置を決定することを有し、管腔の第３の血管造影画像内の放射線不透過性マーカーの位置は第３の管腔内データ点に対応しており、
第１、第２および第３の血管造影画像を共に登録することにより、該複合の血管造影画像上で第３のマーカーの位置の表示を生成することを有し、かつ、
放射線不透過性マーカーの第２の位置と第３の位置との間にある複合の血管造影画像上の少なくとも１つの位置が、第２のデータ点の取得と第３のデータ点の取得との間に取得された管腔内データ点に対応することを決定することを有し、該決定することは、複合の血管造影画像上の放射線不透過性マーカーの第２の位置と第３の位置との間でインターポレートすることにより為され、かつ、
それに反応して出力を生成することを有する、
請求項７に記載の作動方法。
【請求項１１】
複合の血管造影画像上の放射線不透過性マーカーの第１の位置と第２の位置との間でインターポレートすることが、第１のデータ点の取得と第２のデータ点の取得との間の管腔内データ点の各々の連続するペアの取得の間に、管腔内データ取得器具は等距離だけ移動したことを仮定することを有する、請求項７に記載の作動方法。
【請求項１２】
複合の血管造影画像上の放射線不透過性マーカーの第１の位置と第２の位置との間でインターポレートすることが、管腔内データ取得器具の動く速さが、第１のデータ点の取得と第２のデータ点の取得との間、線形であったことを仮定することを有する、請求項７に記載の作動方法。
【請求項１３】
装置であって、
当該装置は、管腔内データ取得器具と共に使用するためのものであり、該管腔内データ取得器具は、管腔内データ取得器具が管腔を通って動かされている間に、管腔内の各々の位置において対象の身体の管腔の複数の管腔内データ点を取得するように構成されており、管腔内データ取得器具には放射線不透過性マーカーが連結されており、
当該装置は、血管造影画像化器具と共に使用するためのものであり、該血管造影画像化器具は、（ａ）管腔内データ取得器具による第１の管腔内データ点の取得と関連付けられる時点において、管腔の第１の血管造影画像を取得するように構成されており、かつ、（ｂ）管腔内データ取得器具による第２の管腔内データ点の取得と関連付けられる時点において、管腔の第２の血管造影画像を取得するように構成されており、かつ、
当該装置は、ディスプレイと共に使用するためのものであり、
当該装置は、少なくとも１つのプロセッサを有し、
該プロセッサは、位置決定機能を有し、
該位置決定機能は、第１の管腔内データ点が管腔内の第１の位置に対応することを決定するように構成されており、該決定することは、第１の血管造影画像に対して画像処理を行うことにより、管腔の第１の血管造影画像内の放射線不透過性マーカーの位置を決定することにより為され、管腔の第１の血管造影画像内の放射線不透過性マーカーの位置は第１の管腔内データ点に対応しており、かつ、
該位置決定機能は、第２の管腔内データ点が管腔内の第２の所与の位置に対応することを決定するように構成されており、該決定することは、第２の血管造影画像に対して画像処理を行うことにより、管腔の第２の血管造影画像内の放射線不透過性マーカーの位置を決定することにより為され、管腔の第２の血管造影画像内の放射線不透過性マーカーの位置は第２の管腔内データ点に対応しており、
該プロセッサは、画像を共に登録する機能を有し、該画像を共に登録する機能は、第１および第２の血管造影画像を共に登録することにより、第１および第２のマーカーの位置の表示を有する管腔の複合の血管造影画像を生成するように構成されており、
該プロセッサは、位置関連付け機能を有し、該位置関連付け機能は、放射線不透過性マーカーの第１の位置と第２の位置との間にある複合の血管造影画像上の少なくとも１つの位置が、第１のデータ点の取得と第２のデータ点の取得との間に取得された管腔内データ点に対応することを決定するように構成されており、該決定することは、複合の血管造影画像上の放射線不透過性マーカーの第１の位置と第２の位置との間でインターポレートすることにより為され、
該プロセッサは、ディスプレイ駆動機能を有し、該ディスプレイ駆動機能は、該間にある位置が、第１のデータ点の取得と第２のデータ点の取得との間に取得された管腔内データ点に対応するという決定に反応して、ディスプレイを、出力を表示するように駆動するように構成されている、
前記装置。
【請求項１４】
位置決定機能が、
第１の管腔内データ点が、関心のある管腔区画の第１の端部の近くの位置に対応することを決定することにより、第１の管腔内データ点が管腔内の第１の位置に対応することを決定するように構成されており、かつ、
第２の管腔内データ点が、該関心のある管腔区画の第２の端部の近くの位置に対応することを決定することにより、第２の管腔内データ点が管腔内の第２の位置に対応することを決定するように構成されている、
請求項１３に記載の装置。
【請求項１５】
位置決定機能が、
第１の管腔内データ点が管腔内の第１の位置に対応することを決定するように構成されており、該決定することは、第１の管腔内データ点が、関心のある管腔区画の第１の端部の近くの位置に対応することを決定することにより為され、かつ、
第２の管腔内データ点が管腔内の第２の位置に対応することを決定するように構成されており、該決定することは、第２の管腔内データ点が、該関心のある管腔区画の第１の端部と第２の端部との間の位置に対応することを決定することにより為され、
血管造影画像化器具が、管腔内データ取得器具による第３の管腔内データ点の取得と関連付けられる時点において、管腔の第３の血管造影画像を取得するように更に構成された血管造影画像化器具を有し、
位置決定機能が、第３の管腔内データ点が、該関心のある管腔区画の第２の端部の近くの位置に対応することを決定するように更に構成されており、該決定することは、第３の血管造影画像に対して画像処理を行うことにより、管腔の第３の血管造影画像内の放射線不透過性マーカーの位置を決定することにより為され、管腔の第３の血管造影画像内の放射線不透過性マーカーの位置は第３の管腔内データ点に対応しており、
画像を共に登録する機能が、第１、第２および第３の血管造影画像を共に登録することにより、複合の血管造影画像上で第３のマーカーの位置の表示を生成するように更に構成されており、かつ、
位置関連付け機能が、放射線不透過性マーカーの第２の位置と第３の位置との間にある複合の血管造影画像上の少なくとも１つの位置が、第２のデータ点の取得と第３のデータ点の取得との間に取得された管腔内データ点に対応することを決定するように更に構成されており、該決定することは、複合の血管造影画像上の放射線不透過性マーカーの第２の位置と第３の位置との間でインターポレートすることにより為され、かつ、
ディスプレイ駆動機能が、該間にある位置が、第２のデータ点の取得と第３のデータ点の取得との間に取得された管腔内データ点に対応するという決定に反応して、ディスプレイを、出力を表示するように駆動するように更に構成されている、
請求項１３に記載の装置。
【請求項１６】
位置関連付け機能が、第１のデータ点の取得と第２のデータ点の取得との間の各々の連続する管腔内データ点のペアの取得の間で、管腔内データ取得器具は等距離だけ移動したことを仮定することにより、複合の血管造影画像上の放射線不透過性マーカーの第１の位置と第２の位置との間でインターポレートするように構成されている、請求項１３に記載の装置。
【請求項１７】
位置関連付け機能が、管腔内データ取得器具の動きの速さは、第１のデータ点の取得と第２のデータ点の取得との間、線形であったことを仮定することにより、複合の血管造影画像上の放射線不透過性マーカーの第１の位置と第２の位置との間でインターポレートするように構成されている、請求項１３に記載の装置。